(57)【要約】【課題】使用者の利便性を確保し、且つ、電子機器本体への悪影響を排除可能な電子機器及び電子機器の取付方法を提供する。【解決手段】電子機器５０は、電子機器本体１００を取付対象物である肘掛け部１５へ取り付ける取付部２００を有する。取付部２００は、略板状の取付板２１０と、取付板２１０を電子機器本体１００に固定する嵌合片２１１と、取付板２１０に設けられている複数の取付穴２２０とを有する。取付板２１０は、電子機器本体１００から離間して対向配置されている。【選択図】図２
2013197383.tif 000002
【特許請求の範囲】
【請求項１】
電子機器本体と、該電子機器本体を取付対象物に取り付け可能な取付部と、を具備する電子機器であって、
前記取付部は、
略板状の取付板と、
前記取付板を前記電子機器本体に固定する固定手段と、
前記取付板に設けられている複数の取付穴と、
を有し、
前記取付板は、前記電子機器本体から離間して対向配置されている
電子機器。
【請求項２】
前記電子機器本体は、前記取付板と対向する対向面を有し、
前記対向面は、前記取付板に対して略平行に配置された面を少なくとも一つ有する
請求項１に記載の電子機器。
【請求項３】
前記複数の取付穴は、互いにその長軸が略平行な長穴状に形成されている
請求項１又は２に記載の電子機器。
【請求項４】
前記取付穴は、前記取付板の２箇所に設けられている
請求項１乃至３のいずれかに記載の電子機器。
【請求項５】
前記電子機器本体の前記取付板との対向面は、放熱孔を有する
請求項１乃至４のいずれかに記載の電子機器。
【請求項６】
前記電子機器本体は、スピーカーを駆動するアンプを有する
請求項１乃至５のいずれかに記載の電子機器。
【請求項７】
前記電子機器本体の、前記取付板との対向面とは異なる面に、該電子機器本体の操作部が設けられている
請求項１乃至６のいずれかに記載の電子機器。
【請求項８】
電子機器本体と、該電子機器本体を取付部材を介して取付対象物に取り付け可能な取付部と、を具備する電子機器の取付方法であって、
前記取付部は、
略板状の取付板と、
前記取付板を前記電子機器本体に固定する固定手段と、
前記取付板に設けられ、前記取付部材が挿通可能な複数の取付穴と、
を有し、
前記取付板の前記電子機器本体との反対向面と、前記取付対象物の一面とを、前記取付部材を介して係止することによって、前記電子機器本体を前記取付対象物に取り付ける
電子機器の取付方法。
【請求項９】
前記取付部材は、帯状のベルトであり、
前記ベルトを前記取付穴に挿通させ、該挿通させたベルトで前記取付板を前記取付対象物に係止して、前記電子機器本体を前記取付対象物に取り付ける
請求項８に記載の電子機器の取付方法。
【請求項１０】
前記取付対象物は、椅子の肘掛けである
請求項９に記載の電子機器の取付方法。
【請求項１１】
前記ベルトには、ウレタンフォームが含まれる
請求項９又は１０に記載の電子機器の取付方法。
【請求項１２】
前記取付穴は、前記取付板の２箇所に設けられ、互いにその長軸が略平行な長穴状に形成されており、
前記ベルトは、前記取付穴に一度ずつ挿通される
請求項９乃至１１のいずれかに記載の電子機器の取付方法。
【請求項１３】
前記ベルトは、面ファスナーを有し、
前記ベルトを前記取付穴に挿通させ、前記肘掛けに巻いてから前記面ファスナーを係着させることで、前記取付板を前記取付対象物に係止する
請求項１０乃至１２のいずれかに記載の電子機器の取付方法。
【請求項１４】
前記椅子は、スピーカーを有し、
前記電子機器本体は、前記スピーカーを駆動するアンプを有する
請求項１０乃至１３のいずれかに記載の電子機器の取付方法。
【請求項１５】
前記電子機器本体の前記取付板との対向面上には、空間が形成されている
請求項８乃至１４のいずれかに記載の電子機器の取付方法。
【発明の詳細な説明】
【技術分野】
【０００１】
本発明は、電子機器及び電子機器の取付方法に関する。
【背景技術】
【０００２】
音響機器や体感振動発生機器等の電子機器を、椅子やベッド等に取り付けて使用させるものがある。
【０００３】
例えば、特許文献１では、スピーカーである第１振動ユニットやボディソニック（登録商標）である第２振動ユニットを座部に取り付けている。特許文献１では、第１又は第２振動ユニットを制御するアンプリファイアである制御ユニットを、座部下方に位置する板にネジで固定している。この制御ユニットは、第１又は第２振動ユニットの振動位相を、使用者により可変させて、第１又は第２振動ユニットを制御する。
【先行技術文献】
【特許文献】
【０００４】
【特許文献１】特開２００１−２８５９７５号公報
【発明の概要】
【発明が解決しようとする課題】
【０００５】
しかしながら、特許文献１では、使用者が制御ユニットを操作する場合、座部下方に屈み込まなければならない。使用者は、制御ユニットの配置を所望の位置に変更する場合、煩雑な作業を行わなければならない。
また、特許文献１では、第１又は第２振動ユニットからの振動が、制御ユニットに伝播し易い。当該振動の伝播により、制御ユニットが行う第１又は第２振動ユニットの制御に支障をきたす虞がある。
【０００６】
本発明は、上記事情に鑑みてなされたものであり、上述のような問題点を解決することを課題の一例とするものである。すなわち、本発明は、使用者の操作性や配置の自由度等の使用者の利便性を確保し、且つ、電子機器本体への悪影響を排除可能な、電子機器及びその取付方法を提供する。
【課題を解決するための手段】
【０００７】
本発明の請求項１に係る電子機器は、電子機器本体と、該電子機器本体を取付対象物に取り付け可能な取付部と、を具備する電子機器であって、前記取付部は、略板状の取付板と、前記取付板を前記電子機器本体に固定する固定手段と、前記取付板に設けられている複数の取付穴と、を有し、前記取付板は、前記電子機器本体から離間して対向配置されている電子機器である。
【０００８】
本発明の請求項８に係る電子機器の取付方法は、電子機器本体と、該電子機器本体を取付部材を介して取付対象物に取り付け可能な取付部と、を具備する電子機器の取付方法であって、前記取付部は、略板状の取付板と、前記取付板を前記電子機器本体に固定する固定手段と、前記取付板に設けられ、前記取付部材が挿通可能な複数の取付穴と、を有し、前記取付板の前記電子機器本体との反対向面と、前記取付対象物の一面とを、前記取付部材を介して係止することによって、前記電子機器本体を前記取付対象物に取り付ける電子機器の取付方法である。
【図面の簡単な説明】
【０００９】
【図１】本発明の一実施形態に係る電子機器を取り付けたＡＶチェアの概略図である。
【図２】本発明の一実施形態に係る電子機器の斜視図である。
【図３】本発明の一実施形態に係る電子機器をＡＶチェアに取り付ける際に用いる取付部材の概略図である。
【図４】本発明の一実施形態に係る電子機器をＡＶチェアに取り付ける方法を説明するための説明図である。
【図５】本発明の一実施形態に係る電子機器をＡＶチェアに取り付けた状態を説明するための説明図である。
【発明を実施するための形態】
【００１０】
以下、本発明を実施するための形態について、図面を参照しながら説明する。
図１は、本発明の一実施形態に係る電子機器５０を取り付けたＡＶチェア１の概略図である。図１のように、ＡＶチェア１の奥行方向をＸ方向、ＡＶチェア１の幅方向をＹ方向、ＡＶチェア１の上方をＺ方向と定義する。この定義は、図２以降でも同様とする。
【００１１】
図１では、電子機器５０の取り付け対象として、ＡＶチェア１を例示している。ＡＶチェア１は、例えば、音響機器を有するホームシアター用椅子である。
図１のＡＶチェア１は、椅子１０と、スピーカー２０と、振動ユニット３０と、電子機器５０と、を少なくとも有する。
【００１２】
図１の椅子１０は、座部１１と、背もたれ部１２と、ヘッドレスト部１３と、脚部１４と、肘掛け部１５とを有する。椅子１０は、スピーカー２０、振動ユニット３０、及び電子機器５０が、予め組み込まれておらず、市販の椅子である。図１では、一人用の椅子を椅子１０として例示しているが、複数人用の椅子でもよい。
【００１３】
スピーカー２０は、電子機器５０と有線又は無線で接続され、電子機器５０にて駆動制御される。
スピーカー２０は、左耳用のスピーカー２０Ｌと、右耳用のスピーカー２０Ｒとを有する。図１のスピーカー２０Ｌ、２０Ｒは、それぞれの音放射方向が、椅子１０に着座した使用者の左右の耳にそれぞれ向かうように、ヘッドレスト部１３に取り付けられている。
【００１４】
スピーカー２０Ｌ、２０Ｒは、使用者にて着脱自在な取り付け機構を有している。スピーカー２０Ｌ、２０Ｒは、使用者の体格や嗜好に合せて、配置変更が適宜可能である。
スピーカー２０は、スピーカー２０Ｌ、２０Ｒ以外のスピーカーを含めることが可能である。例えば、サラウンドのチャンネル数に応じて（５．１ｃｈ用、７．１ｃｈ用等）、スピーカーを増減可能である。
【００１５】
振動ユニット３０は、スピーカー２０の音声と連動して振動を発する体感音響装置である。振動ユニット３０は、電子機器５０と有線又は無線で接続され、電子機器５０にて駆動制御される。
振動ユニット３０は、背もたれ部１２の着座面とは反対側の下方（座部１１に近い側）に取り付けられている。振動ユニット３０が取り付けられている向きは、振動放射方向が使用者の腰部に向かうような向きである。振動ユニット３０は、背もたれ部１２内のクッション材（図示せず）を介して使用者に振動を伝播する。
【００１６】
振動ユニット３０は、使用者にて着脱自在な取り付け機構を有している。振動ユニット３０は、使用者の体格や嗜好に合せて、配置変更が適宜可能である。
【００１７】
電子機器５０は、ＡＶアンプユニットの一種である。電子機器５０は、映像・音声信号のセレクター、コントロールアンプ、及びパワーアンプを有する。電子機器５０は、スピーカー２０及び振動ユニット３０と有線又は無線で接続され、スピーカー２０及び振動ユニット３０の駆動制御を行う。
電子機器５０は、操作部１２０が椅子１０に着座した使用者の手元に位置するように、肘掛け部１５に取り付けられている。電子機器５０の肘掛け部１５への取り付けは、ベルト３００を介して着脱自在となっている。電子機器５０は、使用者の体格や嗜好に合せて、配置変更が適宜可能である。図１では、電子機器５０を、操作部１２０が椅子１０の外側方向（＋Ｙ方向）に向くように取り付けている。電子機器５０を、操作部１２０が椅子１０の内側方向（−Ｙ方向）に向くように取り付けてもよい。
【００１８】
図２は、本発明の一実施形態に係る電子機器５０の斜視図である。図２（ａ）は、電子機器５０の全体斜視図を示す。図２（ｂ）は、電子機器５０の分解斜視図を示す。
電子機器５０は、ＡＶアンプを有する電子機器本体１００と、電子機器本体１００を、ベルト３００を介して肘掛け部１５に取り付けるための取付部２００とを有する。
【００１９】
電子機器本体１００は、ＡＶアンプを内蔵する筐体１１０と、使用者の操作を受け付ける操作部１２０とを有する。
筐体１１０は、樹脂又は金属材料等で略直方体状に形成されている。筐体１１０は、電子機器本体１００の外形を形成する。
【００２０】
筐体１１０の取付部２００との対向面１１１には、放熱孔１１２が設けられている。図２では、取付部２００が筐体１１０の上方（＋Ｚ方向）に位置することから、対向面１１１は、筐体１１０の上面（＋Ｚ方向を法線とする面）となる。放熱孔１１２は、内部のＡＶアンプが発する熱を筐体１１０外部へ放熱するための孔である。放熱孔１１２は、図２に例示するような筐体１１０の上面（対向面１１１）だけでなく、筐体１１０の底面や側面にも設けることができる。
【００２１】
筐体１１０の短手方向の各側面（±Ｘ方向を法線とする面）には、一対の嵌合孔１１３がそれぞれ設けられている。嵌合孔１１３は、取付部２００の後述する嵌合片２１１と嵌合する。嵌合孔１１３の数、位置、及び形状等は、嵌合片２１１の数、位置、及び形状等と対応していればよい。
【００２２】
操作部１２０は、筐体１１０の長手方向側面の一方に設けられている。操作部１２０が設けられた筐体１１０の長手方向側面は、対向面１１１とは異なる面である。
操作部１２０は、筐体１１０に内蔵されたＡＶアンプの制御スイッチである電源スイッチ１２１及び操作スイッチ１２２を有する。
電源スイッチ１２１は、スピーカー２０及び振動ユニット３０に係る電源スイッチである。使用者は、電源スイッチ１２１を用いてスピーカー２０及び振動ユニット３０の起動開始・終了を制御することができる。
操作スイッチ１２２は、スピーカー２０に係る操作スイッチ１２２ａと、振動ユニット３０に係る操作スイッチ１２２ｂと、複数の入力（図示せず）を切り替える入力セレクターに係る操作スイッチ１２２ｃとを有する。使用者は、操作スイッチ１２２を用いて、スピーカー２０及び振動ユニット３０の出力の大小を制御することができ、複数の入力から所望の入力を選択することができる。
【００２３】
操作部１２０には、電源スイッチ１２１及び操作スイッチ１２２以外のスイッチを設けてもよい。
操作部１２０は、ＡＶアンプと一体として筐体１１０に組み込まれている。このため、操作部１２０とＡＶアンプ間の接続コードが不要であり、低コスト化及び省スペース化を図ることができる。
【００２４】
取付部２００は、取付板２１０と、取付穴２２０とを有する。
取付板２１０は、取付部２００の本体部分であり、樹脂又は金属材料等で略板状に形成されている。取付板２１０は、電子機器本体１００との対向面が対向面１１１と略平行な略板状の外形を有する。取付板２１０は、ベルト３００及び電子機器本体１００と係合し、ベルト３００の張力を受けて電子機器本体１００を支持する。
【００２５】
取付板２１０の短手方向の各側面（±Ｘ方向を法線とする面）には、一対の嵌合片２１１がそれぞれ設けられている。嵌合片２１１は、取付板２１０を電子機器本体１００に係合させる。嵌合片２１１は、取付板２１０を基端として、取付板２１０の板厚方向と略平行に下方（−Ｚ方向）に平滑に屈曲され、先端が当該板厚を超えて筐体１１０に向かって延出している。嵌合片２１１の当該延出長さは、後述するベルト３００の基布３１０の厚さと、嵌合孔１１３の対向面１１１からの距離との和よりも十分に長い。
嵌合片２１１は、筐体１１０が有する嵌合孔１１３と嵌合する。この嵌合によって、取付板２１０は、筐体１１０に固定され、電子機器本体１００と係合する。嵌合片２１１は、取付板２１０を電子機器本体１００に固定させるための固定手段となる。
【００２６】
嵌合片２１１の先端には、引掛爪２１２が設けられている。引掛爪２１２は、嵌合片２１１の先端から取付板２１０の内側に向かって突設されている。引掛爪２１２は、嵌合片２１１の嵌合孔１１３との嵌合時に、嵌合孔１１３の開口縁に引っ掛かる形状になっている。引掛爪２１２は、嵌合片２１１の嵌合孔１１３との嵌合が不意に外れることを防止する。
【００２７】
上記嵌合片２１１を有することで、取付板２１０は、電子機器本体１００の対向面１１１から所定距離だけ上方（＋Ｚ方向）に離間して、電子機器本体１００に対向配置される。当該所定距離は、嵌合片２１１の上記延出長さが、基布３１０の厚さと、嵌合孔１１３の対向面１１１からの距離との和よりも十分に長いことによって確保される。
【００２８】
取付穴２２０は、取付板２１０をベルト３００に係合させる。取付穴２２０は、取付板２１０の肘掛け部１５との対向面（取付板２１０の上面）に複数設けられている。図２では、取付穴２２０は、取付板２１０の長手方向（Ｘ方向）を長軸とする長穴状の貫通孔として、取付板２１０の２箇所に設けられている。各取付穴２２０は、取付板２１０の短手方向（Ｙ方向）に沿って、互いにその長軸が略平行となるように配設されている。各取付穴２２０の開口部は、それぞれにベルト３００が挿通可能な寸法・形状である。この挿通によって、取付板２１０は、ベルト３００と係合する。取付穴２２０は、図２に例示するような取付板２１０の２箇所に設けるだけではなく、３箇所以上に設けることもできる。
【００２９】
図３は、本発明の一実施形態に係る電子機器５０をＡＶチェア１に取り付ける際に用いる取付部材であるベルト３００の概略図である。図３（ａ）は、ベルト３００の平面図を示す。図３（ｂ）は、ベルト３００の断面図を示す。
ベルト３００は、基布３１０と、面ファスナー３２０とを有する。
【００３０】
基布３１０は、ある程度の厚みをもった帯状の形状を有する。基布３１０の短手方向の長さは、取付穴２２０の長軸長さよりも極端に短くない程度で、取付穴２２０に平滑に挿通可能な長さである。基布３１０の長手方向の長さは、取付穴２２０に挿通後、肘掛け部１５に過不足なく巻き付け可能な長さである。
【００３１】
基布３１０は、内部に振動吸収材３１１を有し、振動吸収材３１１の外部を表皮３１２で覆っている。
振動吸収材３１１は、ウレタンフォームや軟発泡ゴムなどの、緩衝性、可撓性、断熱性、及び難燃性等を有する樹脂材料で形成されている。
表皮３１２は、天然皮革、合成皮革、及び布地等の、可撓性及び難燃性を有し、比較的高い摩擦係数を有する材料で形成されている。
【００３２】
面ファスナー３２０は、フック側の面ファスナー３２０ａとループ側の面ファスナー３２０ｂとが対になって、基布３１０の表裏面にそれぞれ固定されている。フック側の面ファスナー３２０ａとループ側の面ファスナー３２０ｂとは互いに係着する。図３では、面ファスナー３２０は、面ファスナー３２０ａと面ファスナー３２０ｂとが同じ形状を有し、基布３１０の両端に一対だけ設けられている。面ファスナー３２０は、図３に例示するような設け方だけではなく、片方の面ファスナー３２０（例えば、ループ側の面ファスナー３２０ｂ）の形状を大きくしたり、同一形状でも複数設けたりすることもできる。
【００３３】
上記構成の電子機器５０を、ベルト３００を用いて、ＡＶチェア１の肘掛け部１５に取り付ける方法を、図４及び図５を用いて説明する。
図４は、本発明の一実施形態に係る電子機器５０をＡＶチェア１に取り付ける方法を説明するための説明図である。図５は、本発明の一実施形態に係る電子機器５０をＡＶチェア１に取り付けた状態を説明するための説明図である。図５は、肘掛け部１５に取り付けられた電子機器５０の長手方向（Ｘ方向）中央のＹＺ断面を模式的に示した図である。
【００３４】
（i）ベルト３００の一端を、取付板２１０の下方側から、一方の取付穴２２０へ挿入し、取付板２１０の上方側へ抜け出させる。
（ii）続いて、一方の取付穴２２０に通ったベルト３００の一端を、取付板２１０の上方側から、他方の取付穴２２０へ挿入し、取付板２１０の下方側へ抜け出させる。
【００３５】
このようにすると、図４に示すように、ベルト３００は、取付板２１０の上面（＋Ｚ方向を法線とする面）であって２箇所の取付穴２２０の間の部分（すなわち、取付板２１０の上面中央部２１３）を覆うようにして挿通する。そして、ベルト３００は、２箇所の取付穴２２０に対して、それぞれ一度ずつ挿通する。
【００３６】
なお、図４では、取付部２００を電子機器本体１００から外した上で、ベルト３００を取付穴２２０に挿通させているが、取付部２００を電子機器本体１００に固定したままで、ベルト３００を取付穴２２０に挿通させてもよい。
【００３７】
（iii）その後、取付穴２２０に挿通させたベルト３００の一端を、肘掛け部１５を囲うように巻き付ける。
（iv）そして、肘掛け部１５に巻き付けたベルト３００の一端に設けられた面ファスナー３２０ａと、ベルト３００の他端に設けられた面ファスナー３２０ｂとを係着させる。
【００３８】
このようにすると、図５に示すように、ベルト３００は、肘掛け部１５を囲って閉じた輪を形成する。肘掛け部１５を囲って閉じた輪を形成したベルト３００には、電子機器５０（主に電子機器本体１００）の自重に対応する張力が発生する。ベルト３００が挿通する取付穴２２０が設けられた取付板２１０は、電子機器本体１００と固定されている。このため、ベルト３００の張力を受けた取付板２１０は、電子機器本体１００を支持することができる。
すなわち、取付部２００は、取付板２１０の電子機器本体１００との反対向面（取付板２１０の上面、すなわち、肘掛け部１５との対向面）と、肘掛け部１５の一面（肘掛け部１５の下面、すなわち、取付板２１０との対向面）とを、ベルト３００を介して係止することにより、電子機器本体１００を肘掛け部１５に取り付ける。
【００３９】
上記（i）〜（iv）の方法により、電子機器本体１００は、図５に示すような状態で、肘掛け部１５に取り付けられている。
この状態では、電子機器本体１００の取付部２００との対向面１１１の上方（＋Ｚ方向）に、空間Ｓが形成されている。空間Ｓは、取付板２１０が嵌合片２１１を有し、対向面１１１から所定距離だけ上方（＋Ｚ方向）に離間して配置されることによって、形成される。
【００４０】
本実施形態では、電子機器５０は、空間Ｓが形成されることによって、振動ユニット３０から発せられる振動や椅子１０の搖動により生じる振動を、電子機器本体１００へ伝播させ難くすることができる。このため、電子機器５０は、これらの振動を電子機器本体１００が拾ってしまい、スピーカー２０及び振動ユニット３０の制御に支障をきたす虞を抑止することができる。特に、スピーカー２０の音質への悪影響を排除することができる。また、電子機器５０は、これらの振動によって、電子機器本体１００の耐久性が低下することを抑止することができる。
【００４１】
更に、電子機器５０は、空間Ｓが形成されることによって、対向面１１１に設けられた放熱孔１１２からの放熱を促進させることができる。このため、電子機器５０は、電子機器本体１００の発熱に伴う温度上昇によって、電子機器本体１００の誤動作や耐久性低下を抑止することができる。
【００４２】
更に、電子機器５０は、取付板２１０を電子機器本体１００の対向面１１１と略平行に配置している。これにより、電子機器５０を取り付けた状態では、空間Ｓが対向面１１１全体に亘って略均等に形成される。このため、電子機器５０は、空間Ｓが形成されることによって得られる上記振動伝播の抑制及び放熱性の促進という効果を、対向面１１１全体に亘って偏りなく得ることができる。
【００４３】
更に、電子機器５０は、面ファスナー３２０を有するベルト３００を取付部材に採用している。これにより、電子機器５０は、取付対象物である肘掛け部１５に対し、使用者の体格や嗜好に合った位置に着脱自在に取り付けることができる。このとき、電子機器５０は、ビス止め等での取り付けのような煩雑な作業を要せず、面ファスナー３２０の係着により容易に取り付けが可能である。
【００４４】
更に、電子機器５０では、可撓性を有する帯状のベルト３００を取付部材に採用し、取付穴２２０に挿通させたベルト３００を肘掛け部１５に巻きつけ、取付板２１０と肘掛け部１５とを係止させることによって、電子機器本体１００が肘掛け部１５に取り付けられる。これにより、電子機器５０は、肘掛け部１５に対して硬直して固定されない。よって、電子機器５０は、人の衝突等によって撃力が加わっても、撃力を逃がすことができる。このため、電子機器５０は、破損し難く、人への安全性も高い。
【００４５】
更に、電子機器５０は、ベルト３００が振動吸収材３１１有する。これにより、電子機器５０は、スピーカー２０及び振動ユニット３０からの振動を、電子機器本体１００へ一層伝播させ難くすることができる。このため、電子機器５０は、電子機器本体１００のスピーカー２０及び振動ユニット３０の制御に支障きたす虞を一層抑止することができる。また、電子機器５０は、これらの振動によって、電子機器本体１００の耐久性が低下することを一層抑止することができる。
【００４６】
更に、電子機器５０は、取付部材に帯状のベルト３００を採用し、取付部２００には板状の取付板２１０及び長穴状の取付穴２２０を有する。これにより、電子機器５０を取り付けた状態では、取付板２１０及びベルト３００、並びに、ベルト３００及び肘掛け部１５が、各々面接触して密着する。このため、電子機器５０は、面接触による接触面積の拡大によって、例えばＹ方向の力が加わっても搖動し難い等、高い取り付け強度を得ることができる。しかも、取付部材が帯状のベルト３００であるため、ベルト３００の振動吸収材３１１の面積も増加させることができる。
【００４７】
更に、電子機器５０は、長穴状の取付穴２２０が互いに略平行である。これにより、ベルト３００を取付穴２２０に挿通させた際に、ベルト３００の両端が互いに略平行となる。よって、電子機器５０を取り付けた状態では、ベルト３００及び取付板２１０へ加わる応力が偏在しない。このため、電子機器５０は、より高い取り付け強度を得ることができる。
【００４８】
更に、電子機器５０は、取付穴２２０が取付板２１０の２箇所に設けた。そして、ベルト３００の一端を、取付板２１０の下方側から一方の取付穴２２０へ挿入し、取付板２１０の上方側から他方の取付穴２２０へ挿入させた。そして、各取付穴２２０へのベルト３００の挿通を、それぞれ一度ずつとした。これにより、ベルト３００は、取付板２１０の上面中央部２１３を覆うようにして、取付穴２２０に挿通する。
【００４９】
このため、電子機器５０を取り付けた状態では、肘掛け部１５と取付板２１０の上面中央部２１３との間に、振動吸収材３１１を有するベルト３００が位置する。よって、肘掛け部１５から電子機器本体１００へ伝播する振動を効率的に吸収することができる。
加えて、電子機器５０を取り付けた状態では、ベルト３００が取付板２１０と電子機器本体１００の対向面１１１との間に侵入しない。よって、ベルト３００の侵入により空間Ｓが狭小となることを抑止することができる。
【００５０】
以上の実施形態は、本発明の好適な実施形態の例であるが、本発明は、これに限定されるものではなく、発明の要旨を逸脱しない範囲で、種々の変形又は変更が可能である。
【００５１】
本実施形態では、ベルト３００の基布３１０の両端に一対の面ファスナー３２０を設けた。面ファスナー３２０は、片方の面ファスナー３２０（例えば、ループ側の面ファスナー３２０ｂ）の形状を大きくしたり、同一形状でも複数設けたりすることができる。この場合、面ファスナー３２０は、椅子１０の種類によって肘掛け部１５の大きさや形状が変化しても、適切に係着可能である。よって、ベルト３００は、種々の肘掛け部１５であっても、電子機器本体１００を密着させて係止させることができる。また、使用者の用途や嗜好により、電子機器本体１００を肘掛け部１５に密着させずに係止させたい場合であっても対応することができる。
【００５２】
また、本実施形態では、電子機器本体１００の外形を形成する筐体１１０を、略直方体状に形成した。筐体１１０の他の形状としては、略多角柱形状、略楕円柱形状等、各種の立体形状が考えられる。何れにしても、筐体１１０の形状は、取付板２１０と対向する対向面を有しており、且つ、当該対向面の少なくとも一つの面が、取付板２１０に対して略平行に配置されていればよい。
【００５３】
また、本実施形態では、電子機器５０の取付対象物として、肘掛け部１５を例示した。取付対象物の他の例としては、椅子１０の脚部１４の他にも、ベッドの手すりや机の脚等、様々な物が考えられる。
【００５４】
また、本実施形態では、電子機器５０として、スピーカー２０及び振動ユニット３０を駆動制御するＡＶアンプを例示した。電子機器５０の他の例としては、スピーカー、各種のＡＶ再生機器、ゲーム機器等、様々な電子機器が考えられる。
【符号の説明】
【００５５】
１      ＡＶチェア
１０      椅子
１５      肘掛け部
２０      スピーカー
３０      振動ユニット
５０      電子機器
１００      電子機器本体
１１１      対向面
１１２      放熱孔
１２０      操作部
２００      取付部
２１０      取付板
２１１      嵌合片
２２０      取付穴
３００      ベルト
３１０      基布
３１１      振動吸収材
３２０      面ファスナー
【図１】
2013197383.tif 000003
【図２】
2013197383.tif 000004
【図３】
2013197383.tif 000005
【図４】
2013197383.tif 000006
【図５】
2013197383.tif 000007